(57)【要約】      （修正有）【課題】安全かつ能率的にビニールハウス上面での作業を可能とするはしご形足場を提供する。【解決手段】踏み棒１は、１メートル長ほどの棒体である。この踏み棒はその両端寄りの位置に貫通孔を有する木製丸棒による芯棒に、筒状柔軟性発泡合成樹脂による有孔の被覆材を覆設し、該被覆材の両端近傍を、市販のバンド状合成樹脂製の締め具にて押圧したものである。踏み棒は多数個が設けられ、これらの踏み棒は連結ロープ５にて等間隔に連結される。この連結方法は、芯棒と被覆材の孔を一致させてから、上から下りたロープ端を芯棒の孔に通し、一方の側面に沿って巻いてから再び孔に通した後、反対側の芯棒側面に沿って巻き、そして孔を通して下に延び、これを繰り返すことにてすべての踏み棒が等間隔に連結される。両端のロープはクロス結束してから長く延び、結束部６となる。【選択図】図１
0003152550.tif 000002
【実用新案登録請求の範囲】
【請求項１】
剛性を有する素材による有孔の芯棒を設け、該芯棒を有孔の柔軟性素材にて被覆し、以上の構成による踏み棒を複数個設け、これらの踏み棒を該孔を用いてロープにて等間隔に結束したことを特徴とするビニールハウス用はしご形足場。
【考案の詳細な説明】
【技術分野】
【０００１】  この考案は、ビニールハウス上部に掛け渡して用いる、ビニールハウス用の足場に関する。
【背景技術】
【０００２】  従来より、はしごや縄ばしごはあったが、本案にて示すように、柔軟性素材にて被覆された棒体を用いたはしご形の足場は現在のところ見あたらない。
【考案の開示】
【考案が解決しようとする課題】
【０００３】  以前より、高所作業時に用いる物品として、脚立、はしご等が多用されている。
これらは剛性を有する直線状部材にて製作され、作業場所近傍に設置しもしくは壁面等に立てかけて用いる。一方、農業用の建築物としてビニールハウスがある。
これは、等間隔に立設された骨材間にビニールシートを取り付け、内部にて作物を育成するものである。長年の使用にてビニールシートの補修やビニールシート押さえ用のスプリングの補修などのために、屋根部分に上って作業する必要が生まれる。
ビニールハウス高さは一般に数メートルであり、その頂部近傍は傾斜面となっているため、手がかりなしでの作業は危険である。このようなときの作業方法としては、ビニールハウス側面にはしごを立てかけ、ビニールハウス下方に位置するアンカー棒間にロープを、ビニールハウス頂部を介して掛け渡して結びつけ、作業時にはこのロープを頼りに行う、あるいは、市販の縄ばしごを掛け渡してその両端を適宜に固定する手段もあったが、この場合は踏み板の素材の硬さにて、ハウスの骨材に直接当たるなどしてビニールシートが切れるなどの問題があり、不便であるとともに安全性に欠けるものとなっているのが現状であり、より能率的かつ安全性に優れた作業手段が求められている。
本考案は以上のような従来からのビニールハウス上部作業に関わる課題を解決するために考案されたもので、柔軟性を有する素材にて被覆された棒体を各々ロープにて結ぶことにて、ビニールハウス上部での作業を安全に行うための新規かつ有用なる手段を提供することを目的として開発されたものである。
【課題を解決するための手段】
【０００４】  課題を解決する手段として本案は以下の構成とした。
すなわち、剛性を有する素材による有孔の芯棒を設け、該芯棒を有孔の柔軟性素材にて被覆し、以上の構成による踏み棒を複数個設け、これらの踏み棒を該孔を用いてロープにて等間隔に結束する。本案は以上の構成よりなるビニールハウス用はしご形足場である。
【考案の効果】
【０００５】  本案によれば、ビニールハウス上面に本品を固定することができ、安全なる作業を可能とする有用なる物品を得ることができる。また、踏み棒は柔軟性素材にて被覆されているので、ビニールシート面への損傷を避けることができる。
【考案を実施するための最良の形態】
【０００６】  以下、本考案の実施形態について説明する。
図において、１は踏み棒で、１メートル長ほどの棒体である。この踏み棒は図２のように、その両端寄りの位置に貫通孔を有する木製丸棒による芯棒２に、筒状柔軟性発泡合成樹脂による有孔の被覆材３を覆設し、該被覆材の両端近傍を、市販のバンド状合成樹脂製の締め具４にて押圧したものである。踏み棒は多数個が設けられ、これらの踏み棒は図１のように、連結ロープ５にて等間隔に連結される。この連結方法は、図４にて示すように、芯棒と被覆材の孔を一致させてから、上から下りたロープ端を芯棒の孔に通し、一方の側面に沿って巻いてから再び孔に通した後、反対側の芯棒側面に沿って巻き、そして孔を通して下に延び、これを繰り返すことにてすべての踏み棒が等間隔に連結される。両端のロープは図１のようにクロス結束してから長く延び、結束部６となる。
本案使用時は、図５〜図８のように、本品をビニールハウス上部にかかるように投げ上げ、結束部をアンカー棒１０に結びつける。一般にビニールハウス内には等間隔に骨材が立設され、この骨材にビニールシートが取り付けられてその形状が保たれるが、骨材とビニールシートを密着させるために伸縮ひも１１が用いられる。骨材のやや外側には金属棒によるアンカー棒の下部が地中に埋設されており、このアンカー棒上端は略環状に形成され、この環状部に伸縮ひもの一端が結びつけられ、またビニールハウス骨材の垂直に立ち上がっている部分の上部には水平方向の補強材が位置し、伸縮ひもの他端がこれに結束されている。従って、前記結束部端は、このアンカー棒に結びつけられて本品が固定される。なお、体重を支える側の他方の結束部は強度保持のため、３本のアンカー棒を介して結びつけられる。【０００７】  ビニールハウス上面での作業を行うときは、例えば市販のはしごを側面に立てかけて登り、既述の手段にてセットされた本品の踏み棒に足をかけてハウス上面を移動して必要な作業を行うことができる。踏み棒は剛性を有する芯棒に被覆材を覆設したものであるので、この踏み棒にてビニールシート面が損傷することはない。なお、本品はビニールハウスに対して着脱可能のため、任意の位置にセットして用いることができる。不使用時には丸めてコンパクトに収納保管することができる。踏み棒の数は任意であり、ビニールハウスサイズに合わせて選択することができる。
以上、本案について記したが、本案は柔軟性素材にて被覆された芯棒を用いて縄ばしごスタイルに形成したところにその特徴を有するものである。従来はこのような用具がなく、既述のような不安定な手段しかなく、危険を感じながらの非能率的作業であったが、本案にてこれが解消されるものとなったのである。なお、既述の例では芯棒を木製としたが、他の剛性素材を用いてもよく、また、締め具にて芯棒端のやや外側を小径としたので、雨水等から芯棒を保護することができる。そして芯棒中央の孔にロープを二度巻きしたので、芯棒中心に荷重がかかり、芯棒損傷の恐れを回避するものとした。
なお、既述の例は実施の一例であり、近似の他の構成としてもよい。以上のごとく、本案によって安全かつ能率的なるビニールハウス上面での作業を可能とする手段を提供することができる。
【図面の簡単な説明】
【０００８】
【図１】  本考案の正面図（一部略）
【図２】  本考案の踏み棒構造説明図
【図３】  本考案の踏み棒の要部拡大構造説明図
【図４】  本考案の踏み棒のロープ締結説明図
【図５】  本考案の使用状態図（平面視）
【図６】  本考案の使用状態図（正面視）
【図７】  本考案の使用状態図（右側面視）
【図８】  本考案の使用状態要部説明図
【符号の説明】
【０００９】  １    踏み棒
２    芯棒
３    被覆材
４    締め具
５    連結ロープ
６    結束部
１０  アンカー棒
１１  伸縮ひも
１２  ビニールハウス
１３  はしご
【図１】
0003152550.tif 000003
【図２】
0003152550.tif 000004
【図３】
0003152550.tif 000005
【図４】
0003152550.tif 000006
【図５】
0003152550.tif 000007
【図６】
0003152550.tif 000008
【図７】
0003152550.tif 000009
【図８】
0003152550.tif 000010